(57)【特許請求の範囲】
【請求項１】
複数の移動通信信号をそれぞれ入力する複数の入力ポート、及びイーサネット信号を入力する入力ポートを含む信号入力部と、
前記入力されたイーサネット信号を複数のＷｉＦｉ信号に変換する信号変換部と、
前記入力された複数の移動通信信号と前記信号変換部を通じて変換された複数のＷｉＦｉ信号をそれぞれ結合する信号結合部と、
前記信号結合部を通じて結合された複数の結合信号を複数の出力ポートを通じてそれぞれ出力する信号出力部と、及び
前記信号出力部から入力された各信号をお互いに対して既設定された 位相差を有する少なくとも二つの信号に分岐して出力されるようにするカプラーを含んで、
前記カプラーは、一つの入力信号から分岐された一つの信号と共に異なる入力信号から分岐された一つの信号がお互いに対して既設定された位相差を有して同一な一つのポートを通じて出力されるようにする無線インターネット用ワイファイ装置。
【請求項２】
前記信号変換部は、ＩＥＥＥ８０２．１１ｎによって多重入出力を有するＷｉＦｉモジュールを少なくとも１個以上結合して構成されたことを特徴とする請求項１に記載の無線インターネット用ワイファイ装置。
【請求項３】
前記各移動通信信号は、２Ｇ移動通信信号、３Ｇ移動通信信号、及び４Ｇ移動通信信号のうちで少なくとも一つ以上を含む移動通信信号であることを特徴とする請求項１に記載の無線インターネット用ワイファイ装置。
【請求項４】
前記信号入力部は、光イーサネット信号を入力する入力ポートをさらに含むことを特徴とする請求項１に記載の無線インターネット用ワイファイ装置。
【請求項５】
前記信号入力部は、入力されたイーサネット信号を出力する出力ポートをさらに含むことを特徴とする請求項４に記載の無線インターネット用ワイファイ装置。
【請求項６】
前記信号入力部の移動通信信号入力ポートは２個で構成されて、前記信号出力部の前記出力ポートは２個で構成されて、前記入力ポートと前記出力ポートは物理的にお互いに対向する２個の側面にそれぞれ形成されたことを特徴とする請求項１に記載の無線インターネット用ワイファイ装置。
【請求項７】
移動通信中継器の分配器から出力される複数の移動通信信号をそれぞれ入力する複数の入力ポート、及びイーサネット信号を入力する入力ポートを含む信号入力部と、前記入力されたイーサネット信号を少なくとも多数個のＷｉＦｉ信号に変換する信号変換部と、前記入力された複数の移動通信信号と前記信号変換部を通じて変換された複数のＷｉＦｉ信号をそれぞれ結合する信号結合部と、該信号結合部を通じて結合された複数の結合信号を多数個の出力ポートを通じてそれぞれ出力する信号出力部を含むワイファイ装置と、
前記信号出力部から入力された各信号を、お互いに対して既設定された 位相差を有する少なくとも二つの信号に分岐して出力するカプラーと、
前記カプラーを通じて出力される信号を送るために一定長さを有した同軸ケーブルと、及び
前記同軸ケーブルの端に設置されて、該当結合信号を放射するアンテナを含んで、
前記カプラーは、一つの入力信号から分岐された一つの信号と共に異なる入力信号から分岐された一つの信号がお互いに対して既設定された位相差を有して同一な一つのポートを通じて出力されるようにする無線インターネット用ワイファイ装置を利用した無線インターネットシステム。
【請求項８】
前記各出力ポートを通じて出力される結合信号を複数の結合信号に分配する分配器をさらに含んで、前記同軸ケーブルは前記複数の結合信号に対応する複数の同軸ケーブルで構成されたことを特徴とする請求項７に記載の無線インターネット用ワイファイ装置を利用した無線インターネットシステム。
【請求項９】
前記信号変換部は、ＩＥＥＥ８０２．１１ｎによって多重入出力を有するＷｉＦｉモジュールを少なくとも１個以上結合して構成されたことを特徴とする請求項７に記載の無線インターネット用ワイファイ装置を利用した無線インターネットシステム。
【請求項１０】
前記各移動通信信号は、２Ｇ移動通信信号、３Ｇ移動通信信号、及び４Ｇ移動通信信号のうちで少なくとも一つ以上を含む移動通信信号であることを特徴とする請求項７に記載の無線インターネット用ワイファイ装置を利用した無線インターネットシステム。
【請求項１１】
前記ワイファイ装置の前記信号入力部は、光イーサネット信号を入力する入力ポートをさらに含むことを特徴とする請求項７に記載の無線インターネット用ワイファイ装置を利用した無線インターネットシステム。
【請求項１２】
前記ワイファイ装置の前記信号入力部は、入力されたイーサネット信号を出力する出力ポートをさらに含むことを特徴とする請求項７に記載の無線インターネット用ワイファイ装置を利用した無線インターネットシステム。
【請求項１３】
前記ワイファイ装置は、前記信号入力部の移動通信信号入力ポートが２個で構成されて、前記信号出力部の前記出力ポートが２個で構成されて、前記入力ポートと前記出力ポートは物理的にお互いに対向する２個の側面にそれぞれ形成されたことを特徴とする請求項７に記載の無線インターネット用ワイファイ装置を利用した無線インターネットシステム。
【発明の詳細な説明】
【技術分野】
【０００１】
本発明は、無線インターネットシステムに関するものであり、より詳細には、移動通信中継システムを利用して設置、維持補修、及び管理などをより効率的にできる無線インターネット用ワイファイ装置及びその装置を利用した無線インターネットシステムに関するものである。
【背景技術】
【０００２】
一般に、無線インターネットサービスには、無線ラン、携帯インターネット(Wibro)、ＥＶ-ＤＯ(Evolution Data Optimized ＣＤＭＡ２０００)などの方式がある。
【０００３】
そのうち、無線ランは、ワイファイ(ＷｉＦｉ:Wireless Fidelity)またはＷＬＡＮ(Wireless Local Area Network)と呼ばれて、ＩＥＥＥ(Institute of Electrical and Electronic Engineers)８０２．１１x１９９９年標準規格に従うことで、有線のラン(ＬＡＮ)網にＡＰ(Access Point)を連結して、移動端末機やノートブックコンピューターなどがＡＰに無線接続してインターネットと連結する方式である。ここで、ＩＥＥＥ８０２標準は、コンピューター通信網の標準化を推進しているＩＥＥＥ８０２委員会によって開発された一連のラン接続方法及びプロトコル標準らを言う。ＩＥＥＥ８０２標準プロトコルの参照モデルは、ＯＳＩ(Open System Interconnection)参照モデルの階層化概念を土台にして、主にOSIモデルの７個階層のうちで下位２階層までを標準化する。
【０００４】
無線ランサービスは、ＩＥＥＥ８０２．１１ｂ/ｇ国際標準規格を準用する２．４００乃至２．４８３ＧＨｚのＩＳＭ(Industrial Scientific and Medical equipment)帯域(非許可帯域)を使っていて、他の通信サービスとの周波数干渉及び低い出力による狭いカバレッジ(coverage)を有する。
【０００５】
それで、２．４ＧＨｚ帯域の無線ランサービスは、室内及び狭いカバレッジのホットスポット(Hotspot)に局地的に使われるが、このような無線ランシステムは、インターネット網と易しく連動することができるし、国際標準によるシステム仕様で生産供給されるので、チープな装置価格、高速データ伝送などの長所によって利用が拡散して、現在はよりさらに高速データ伝送のために、ＩＥＥＥ８０２．１１ｇの規格及びＩＥＥＥ８０２．１１ｎまで提案された。
【０００６】
また、５ＧＨｚ帯域を使って、５４Ｍｂｐｓ伝送速度のＩＥＥＥ８０２．１１a規格による方式もある。すなわち、２．４ＧＨｚ帯域の無線ラン方式は、ＩＳＭ帯域を使って高速データ伝送ができるが、一例で、半径数十メートルの狭いカバレッジと周波数干渉によってサービス地域が室内及びホットスポットなどで制限されて、２．３ＧＨｚ帯域の携帯インターネット(Wibro)サービス方式は、許可帯域を使用するので、多少周波数の干渉がなく、そして、出力制限なしにより広いカバレッジを保持しながら高速データを送る。
【０００７】
このような無線ランは、大型書店、ファーストフード店、コーヒー専門店、空港、大学などでたくさんサービスされている。
【０００８】
最近、スマートフォン使用者の増加で無線ランとしてのＷｉＦｉ設置が増大されているし、これによって多い数のＷｉＦｉ ＡＰの設置が要求されているし、それによるＷｉＦｉの設置及び維持補修便利、構築費用の節減などに対する効率性が要求される。すなわち、既存に設置されているＷｉＦｉは、所望の地域のカバレッジ確保のために複数個を設置した。
【０００９】
ところが、ＷｉＦｉの場合、共用周波数の使用で出力が制限されているし、スマートフォン加入者が増加してよりさらに多くのＷｉＦｉを設置することによって維持、補修、管理及び設置側面に困難がある。このような問題点を解決するために移動通信中継システムを利用してＷｉＦｉ ＡＰの設置、維持、補修及び管理などをより効率的にできる無線インターネットシステム(特許出願１０-２０１１-００６６２１５)が開発されたが、このような無線インターネットシステムは、ＡＰの複数のポートで個別的な信号が出力されて、各ポートで出力された信号のカバレッジが異なって、使用中である加入者間の衝突による隠匿ノード(Hidden Node)が発生することがあるという問題点がある。
【発明の概要】
【発明が解決しようとする課題】
【００１０】
本発明は、前述した従来の問題点を解決するためのものであり、その目的は、移動通信中継システムを利用してＷｉＦｉ ＡＰの設置、維持補修、及び管理などをより効率的にすることができて、隠匿ノード(Hidden Node)問題を改善することができる無線インターネット用ワイファイ装置及び無線インターネットシステムを提供することにある。
【課題を解決するための手段】
【００１１】
前述した目的を達成するために本発明の一側面による無線インターネット用ワイファイ装置は、複数の移動通信信号をそれぞれ入力する複数の入力ポート、及びイーサネット（登録商標）信号を入力する入力ポートを含む信号入力部と、前記入力されたイーサネット信号を複数のＷｉＦｉ信号に変換する信号変換部と、前記入力された複数の移動通信信号と前記信号変換部を通じて変換された複数のＷｉＦｉ信号をそれぞれ結合する信号結合部と、前記信号結合部を通じて結合された複数の結合信号を複数の出力ポートを通じてそれぞれ出力する信号出力部と、及び前記信号出力部から入力された各信号、お互いに対して既設定された位相差を有する少なくとも二つの信号で分岐して出力するカプラーを含むことができて、前記カプラーは一つの入力信号から分岐された一つの信号と共に異なる入力信号から分岐された一つの信号がお互いに対して既設定された位相差を有して同一な一つのポートを通じて出力されるようにすることができる。
【００１２】
前記各移動通信信号は、２Ｇ移動通信信号、３Ｇ移動通信信号、及び４Ｇ移動通信信号のうちで少なくとも一つ以上を含む移動通信信号であることができる。
【００１３】
前述した目的を達成するために本発明の他の側面による無線インターネット用ワイファイ装置を利用した無線インターネットシステムは、移動通信中継器の分配器から出力される複数の移動通信信号をそれぞれ入力する複数の入力ポート、及びイーサネット信号を入力する入力ポートを含む信号入力部と、前記入力されたイーサネット信号及び光イーサネット信号を少なくとも多数個のＷｉＦｉ信号に変換する信号変換部と、前記入力された複数の移動通信信号と前記信号変換部を通じて変換された複数のＷｉＦｉ信号をそれぞれ結合する信号結合部と、該信号結合部を通じて結合された複数の結合信号を多数個の出力ポートを通じてそれぞれ出力する信号出力部を含むワイファイ装置と、前記信号出力部から入力された各信号をお互いに対して既設定された位相差を有する少なくとも二つの信号に分岐して出力するカプラーと、該カプラーを通じて出力される信号を送るために一定長さを有した同軸ケーブルと、及び前記同軸ケーブルの端に設置されて、該当結合信号を放射するアンテナを含むことができるし、前記各出力ポートを通じて出力される結合信号を複数の結合信号に分配する分配器をさらに含んで、前記同軸ケーブルは前記複数の結合信号に対応する複数の同軸ケーブルで構成されることができる。
【００１４】
前記カプラーは、一つの入力信号から分岐された一つの信号と共に異なる入力信号から分岐された一つの信号がお互いに対して既設定された位相差を有して同一な一つのポートを通じて出力されるようにすることができる。
【００１５】
前記移動通信中継器の分配器から出力される各移動通信信号は、２Ｇ移動通信信号、３Ｇ移動通信信号、及び４Ｇ移動通信信号のうちで少なくとも一つ以上を含む移動通信信号であることができる。
【発明の効果】
【００１６】
移動通信中継器の場合事業者が割り当てを受けた周波数で使って出力の制限がないが、ＷｉＦｉのように共用周波数を使用する場合出力の制限があるために、移動通信中継器出力の分配器の次の段に２個の許容される最大出力を有するワイファイ(Dual ＷｉＦｉ)装置を設置することで、ＷＩＦＩの設置ポイント(Point)を最小化して、また、既存設置された移動通信中継システムの同軸ケーブルを活用して、移動通信信号と共にＷｉＦｉ信号を送り出すことで、ＵＴＰケーブルの設置が最小化して、結局ＷｉＦｉ ＡＰ(または、ＷｉＦｉモジュールと称する)の設置、維持補修、及び管理などをより効率的にできる効果が創出される。
【００１７】
また、最大出力ワイファイ装置を通じて出力される信号をお互いに異なる位相差に分岐して出力することで、ＭＩＭＯ(Multiple Input Multiple Output)信号が分離しながら発生する隠匿ノード(Hidden Node)問題を改善することができるようになる。
【図面の簡単な説明】
【００１８】
【図１】本発明の実施例による無線インターネット用デュアルワイファイ装置の構成図である。
【図２】ワイファイ装置から発生される隠匿ノード発生を説明するために示した図面である。
【図３】図１の無線インターネット用デュアルワイファイ装置に利用されるカプラーの原理を説明するために示した図面である。
【図４】図１のデュアルワイファイ装置の外部構造を示す図面である。
【図５】本発明の実施例による無線インターネット用デュアルワイファイ装置を利用した無線インターネットシステムの構成図である。
【図６】本発明の他の実施例による無線インターネット用デュアルワイファイ装置の構成図である。
【発明を実施するための形態】
【００１９】
以下、添付図面を参照して本発明の実施例に対して具体的に説明する。各図面の構成要素らに参照符号を付け加えることにおいて、等しい構成要素らに対してはたとえ他の図面上に表示されてもできるだけ等しい符号を有するようにする。また、本発明の実施例に対する説明時に係わる公知構成または機能に対する具体的な説明が本発明の要旨を濁ごすことができると判断される場合には、その詳細な説明は略する。
【００２０】
図１は、本発明の実施例による無線インターネット用デュアルワイファイ装置の構成図であり、同図面に示されたところのように、信号入力部１１０、信号変換部１３０、信号結合部１５０、信号出力部１７０及びカプラー１９０を含むことができる。ここで、無線インターネット用ワイファイ装置は、デュアルワイファイ装置の形態を例として示して説明するが、ワイファイ装置はデュアル入力または出力に限定されないし、二つ以上の入力または出力を有するように具現されることもできる。
【００２１】
本実施例による信号入力部１１０は、第１移動通信信号を入力する第１入力ポート１１１、第２移動通信信号を入力する第２入力ポート１１２、及びイーサネット(Ethernet)（登録商標）信号を入力する第３入力ポート１１３を含むことができる。本実施例で信号入力部１１０は、移動通信信号を入力する入力ポートを２個１１１、１１２で構成したが、これに限定されないで複数の移動通信信号をそれぞれ入力する複数の入力ポートで構成することができる。
【００２２】
本実施例で第１移動通信信号と第２移動通信信号は、一例でお互いに共存する他の世代間の信号として、例えば、第１移動通信信号は２世代(２Ｇ)信号であり、第２移動通信信号は３世代(３Ｇ)または４世代(４Ｇ)信号であることができるし、他の例で第１移動通信信号と第２移動通信信号が移動通信中継器３１０の分配器３３０から分岐されたお互いに等しい信号として同一世代の単一信号(例えば、２Ｇ、３Ｇ、４Ｇのうち一つ)であるか、またはお互いに異なる世代間の結合信号(例えば、２Ｇ＋３Ｇ信号または２Ｇ＋４Ｇ信号など)であることがある。本実施例では、説明の便宜のために第１移動通信信号と第２移動通信信号が等しい信号として２Ｇ＋４Ｇ信号であることを一例で説明する。
【００２３】
本実施例による信号変換部１３０は、信号入力部１１０の第３入力ポート１１３を通じて入力されたイーサネット信号を少なくとも２個のＷｉＦｉ信号に変換(例えば、イーサネット信号をＷｉＦｉ信号に変換して少なくとも２個以上に出力)するためのものであり、一例でＩＥＥＥ８０２．１１ｎによって多重入出力を有するＷｉＦｉモジュール１個またはその以上の個数で結合して構成することができる。本実施例で信号変換部１３０はＩＥＥＥ８０２．１１ｎによるＷｉＦｉモジュール１個で構成されたことを一例で説明する。
【００２４】
本実施例による信号結合部１５０は、信号入力部１１０を通じて入力された複数の移動通信信号と信号変換部１３０を通じて変換された複数のＷｉＦｉ信号をそれぞれ結合して多数個の結合信号を生成及び出力するためのものであり、一例で、信号入力部１１０の第１入力ポート１１１及び第２入力ポート１１２を通じて入力された第１及び第２移動通信信号と信号変換部１３０を通じて変換された２個のＷｉＦｉ信号をそれぞれ結合して、例えば、２個の２Ｇ＋４Ｇ＋ＷｉＦｉ結合信号を生成するためのものである。
【００２５】
本実施例による信号出力部１７０は、信号結合部１５０を通じて結合されて生成された多数個の結合信号を対応する多数個の出力ポートを通じてそれぞれ出力するためのものであり、例えば、信号出力部１７０は、信号結合部１５０を通じて結合されて生成された２個の２Ｇ＋４Ｇ＋ＷｉＦｉ結合信号を対応する２個の第１及び第２出力ポート１７１、１７２を通じてそれぞれ出力することができる。
【００２６】
本実施例によるカプラー１９０は、ワイファイ装置から発生される隠匿ノード問題を解消するために、それぞれの出力ポートを通じて出力されるそれぞれの信号がお互いに異なる位相差を有する信号らに分岐されて出力されるようにする。例えば、カプラー１９０は信号結合部１５０を通じて結合されて出力されたそれぞれの２Ｇ＋４Ｇ＋ＷｉＦｉ結合信号を二つの信号に分岐して、その分岐された二つの信号がお互いに９０度の位相差を有するようにして出力することができる。
【００２７】
図２は、ワイファイ装置から発生される隠匿ノード発生を説明するために示した図面である。
【００２８】
移動通信信号とワイファイ信号を結合して、移動通信中継システムを利用してカバレッジを拡大する無線インターネットシステムの場合には、ワイファイ装置から出力された複数の各ポートの出力信号がビル内に既存に具備された移動通信中継システムを利用して伝達するので、中継システムの構成によって各ポートの出力信号の電波が到逹するサービス可能な領域が重畳されない場合が発生することがある。このような場合、図２に示したところのようにワイファイ装置から出力されたポート１の信号が到逹する領域で端末１が通信を遂行しているが、等しいワイファイ装置から出力されたポート２の信号が到逹する領域で端末２が通信する場合には、端末１はポート２に占有された端末２の存在可否を確認しにくくて、隠匿ノード(Hidden Node)に対する問題が発生することがある。ここで、隠匿ノード問題は、等しいワイファイ装置に連結された複数の端末装置がお互いに信号感知にならない領域にある場合には、特定端末装置が無線ラン資源を占有して他の端末装置のサービス品質に影響を与える現象を言う。
【００２９】
本発明の実施例では、このような隠匿ノード問題を解決するために、ハイブリッドカプラーを利用して信号結合を通じて隠匿ノードに対する問題を解決する。
【００３０】
図３は、図１の無線インターネット用デュアルワイファイ装置に利用されるカプラーの原理を説明するために示した図面である。
【００３１】
本発明の実施例では線路の間に電磁界的で交流信号エネルギーを相互伝達する現象であるカプラーの原理を利用して、図３に示したところのように元々の信号で１/２電力をカップリングすれば、元々の信号は半分に落ちて、カップリングされた出力では-３ｄＢｍの小さな電力が出力される分類器(divider)概念を適用する。
【００３２】
すなわち、従来の隠匿ノード問題を乗り越えるために四つの端子で構成された９０度のハイブリッドカプラー１９０を使用することができる。このようなカプラーは、図１のように無線インターネット用デュアルワイファイ装置の内部に設置されるか、または無線インターネット用デュアルワイファイ装置と独立的に設置されることができる。この場合、カプラーはマイクロストリップまたはストリップラインの形態で９０度の位相差を有する２個の出力端子を具備した３ｄＢディレクショナルカプラー(directional coupler)を狭い空間に具現することができる。この時、カプラー１９０はインピーダンスが整合された端子を具備して、ポート１は９０度の位相差を有する二つの出力端子(ポート２、ポート３)で分離して、ポート４の端子には電力が印加されないようにすることができる。このような形態のカプラーを利用して、２端子ＭＩＭＯ信号をそれぞれポート１とポート４に連結して、ポート２とポート３それぞれの出力端子を移動通信網に連結すれば、ポート１の入力信号はポート２とポート３を通じて９０度の位相差を有して出力されて、ポート４の入力信号もポート２とポート３を通じて９０度の位相差を有して出力される。
【００３３】
すなわち、前記ハイブリッドカプラー１９０で、出力ポート２は入力ポート１の入力信号から分岐された一つの信号と共に入力ポート４の入力信号から分岐された一つの信号をお互いに対して９０度の位相差を有して出力することができて、出力ポート３は入力ポート１の入力信号から分岐された異なる一つの信号と共に入力ポート４の入力信号から分岐された異なる一つの信号をお互いに対して９０度の位相差を有して出力することができる。これを通じてＭＩＭＯ信号が分離されながら発生する隠匿ノード問題を解決することができるようになる。
【００３４】
図４は、図１のデュアルワイファイ装置の外部構造を示す図面であり、図４の(a)はデュアルワイファイ装置１００の一側面図、(b)は平面図、(c)は他の側面図を示す。
【００３５】
図４の(a)を見れば、デュアルワイファイ装置１００の一側面には信号入力部１１０の第１入力ポート１１１、第２入力ポート１１２、及びイーサネット(Ethernet)信号を入力する第３入力ポート１１３が形成されている。本実施例で第３入力ポート１１３は、電源＋イーサネット信号を入力する入力ポート１１３a及びイーサネット信号を入力する入力ポート１１３bを含むことができる。
【００３６】
図４の(c)を見れば、デュアルワイファイ装置１００の他の側面には、信号出力部１７０またはカプラー１９０の出力端子に連結される第１出力ポート１７１及び第２出力ポート１７２が形成されている。
【００３７】
図１及び図４を参照して前述されたデュアルワイファイ装置１００の各構成１１０、１３０、１５０、１７０、１９０は、信号入力部１１０->信号変換部１３０->信号結合部１５０->信号出力部１７０->カプラー１９０の順方向信号処理に対して説明したが、その順方向とは反対の逆方向で信号処理が可能であることは勿論である。例えば、逆方向信号処理時に信号出力部１７０は、カプラー１９０を通じてＷｉＦｉ信号及び移動通信信号のうちで少なくとも一つ以上の信号の入力を受けて、信号結合部１５０は入力された信号がＷｉＦｉ＋移動通信結合信号ならＷｉＦｉ信号と移動通信信号に分離して、信号変換部１３０は分離したＷｉＦｉ信号をイーサネット信号に変換して、信号入力部１１０は変換されたイーサネット信号と分離した移動通信信号を、それぞれ該当ポート１１１、１１２、１１３を通じて出力することができる。
【００３８】
次に、本発明の実施例によるデュアルワイファイ装置１００の動作の一例に対して説明する。
【００３９】
先ず、信号入力部１１０の第１及び第２入力ポート１１１、１１２を通じてそれぞれ第１及び第２の２Ｇ＋４Ｇ移動通信信号が入力されて第３入力ポート１１３を通じてイーサネット信号が入力されれば、信号変換部１３０は入力されたイーサネット信号をＷｉＦｉ信号に変換して、少なくとも２個の第１及び第２ＷｉＦｉ信号に出力する。
【００４０】
引き継いで、信号結合部１５０は、信号変換部１３０から出力された第１及び第２ＷｉＦｉ信号と信号入力部１１０を通じて入力された第１及び第２の２Ｇ＋４Ｇ移動通信信号をそれぞれ結合して、第１及び第２の２Ｇ＋４Ｇ＋ＷｉＦｉ結合信号を生成して、信号出力部１７０は第１及び第２出力ポート１７１、１７２を通じて第１及び第２の２Ｇ＋４Ｇ＋ＷｉＦｉ結合信号をそれぞれ出力する。
【００４１】
カプラー１９０は、信号出力部１７０を通じて出力されるそれぞれの第１及び第２の２Ｇ＋４Ｇ＋ＷｉＦｉ結合信号を二つの信号に分岐して、その分岐された二つの信号がお互いに対して既設定された位相差を有するようにして出力する。
【００４２】
図５は、本発明の実施例による無線インターネット用デュアルワイファイ装置を利用した無線インターネットシステムの構成図であり、移動通信中継器３１０、分配器３３０、デュアルワイファイ装置２００、カプラー１９０、分配器３５０、同軸ケーブル３７０、及びアンテナ３９０を含むことができる。
【００４３】
本実施例による移動通信中継器３１０は、移動通信網の基地局のような終端装置のカバレッジを拡張するための装置として、既存の移動通信中継器と等しいので、具体的な説明は略する。
【００４４】
本実施例による分配器３３０は、移動通信中継器３１０から出力される移動通信信号を複数の移動通信信号に分配するためのものであり、本実施例で分配器３３０は、第１移動通信信号及び第２移動通信信号に分配することを一例で説明する。
【００４５】
本実施例によるデュアルワイファイ装置２００は、図１を参照して説明されたデュアルワイファイ装置１００からカプラー１９０を分離した装置として、例えば、移動通信中継器３１０の分配器３３０から出力される第１及び第２移動通信信号をそれぞれ入力する第１及び第２入力ポート１１１、１１２、及びＬＡＮのＵＴＰケーブルを通じてイーサネット信号を入力する第３入力ポート１１３を含む信号入力部１１０と、第３入力ポート１１３を通じて入力されたイーサネット信号を少なくとも２個のＷｉＦｉ信号に変換する信号変換部１３０と、第１及び第２入力ポート１１１、１１２を通じて入力された第１及び第２移動通信信号と信号変換部１３０を通じて変換された２個のＷｉＦｉ信号をそれぞれ結合する信号結合部１５０と、信号結合部１５０を通じて結合された２個の結合信号を２個の第１及び第２出力ポート１７１、１７２を通じて出力する信号出力部１７０を含むことができる。より具体的には前述された図１及び図４の内容を参照する。
【００４６】
カプラー１９０は、デュアルワイファイ装置２００の信号出力部１７０を通じて出力されるそれぞれの信号をお互いに異なる位相差を有する二つの信号に分岐して、二つの出力端子を通じて出力する。
【００４７】
本実施例による分配器３５０は、カプラー１９０を通じて出力された２個の移動通信＋ＷｉＦｉ結合信号をそれぞれ入力する２個の分配器３５１、３５２を含むことができるし、各分配器３５１、３５２は入力されたそれぞれの移動通信＋ＷｉＦｉ結合信号を多数個に分配して出力する。この時、カプラー１９０のそれぞれの出力端子を通じて出力される二つの移動通信＋ＷｉＦｉ結合信号は、お互いに対して９０度の位相差を有する。
【００４８】
本実施例による同軸ケーブル３７０は、各分配器３５１、３５２を通じて出力された複数の移動通信＋ＷｉＦｉ結合信号をそれぞれ一定距離延ばして送る多数個のケーブルを含む。
【００４９】
本実施例によるアンテナ３９０は、各同軸ケーブル３７０の端に設置されて、多数個の同軸ケーブル３７０を通じて伝送された多数個の移動通信＋ＷｉＦｉ結合信号を外部に放射する。
【００５０】
他の実施例で、分配器３５０を抜いてデュアルワイファイ装置１００から出力される２個の移動通信＋ＷｉＦｉ結合信号を、各同軸ケーブル３７０を通じて一定距離延ばして、各アンテナ３９０を通じて外部に放射することができる。
【００５１】
図５を参照して前述された無線インターネットシステムの各構成３１０、３３０、２００、１９０、３５０、３７０、３９０は、移動通信中継器３１０->分配器３３０->デュアルワイファイ装置２００->カプラー１９０->分配器３５０->同軸ケーブル３７０->アンテナ３９０の順方向(すなわち、通信システムから端末方向)の信号処理に対して説明したが、その順方向とは反対の逆方向(すなわち、端末から通信システムの方向)に信号処理が可能であることは勿論である。
【００５２】
次に、本発明の実施例による無線インターネット用デュアルワイファイ装置を利用した無線インターネットシステムの動作の一例に対して説明する。
【００５３】
先ず、移動通信中継器３１０から出力される、例えば、２Ｇ＋４Ｇ移動通信信号を分配器３３０で複数の移動通信信号、例えば、第１の２Ｇ＋４Ｇ移動通信信号及び第２の２Ｇ＋４Ｇ移動通信信号に分配して出力する。
【００５４】
引き継いで、デュアルワイファイ装置２００は、分配器３３０から出力された第１及び第２の２Ｇ＋４Ｇ移動通信信号が入力されて、ＬＡＮのＵＴＰケーブルを通じてイーサネット信号が入力されれば、入力されたイーサネット信号を複数のＷｉＦｉ信号、例えば、第１及び第２ＷｉＦｉ信号に変換した後、変換された第１及び第２ＷｉＦｉ信号と入力された第１及び第２の２Ｇ＋４Ｇ移動通信信号をそれぞれ結合して、第１及び第２の２Ｇ＋４Ｇ＋ＷｉＦｉ結合信号を生成して出力する。
【００５５】
引き継いで、分配器３５１、３５２は、デュアルワイファイ装置１００から出力された第１及び第２の２Ｇ＋４Ｇ＋ＷｉＦｉ結合信号をそれぞれ複数の２Ｇ＋４Ｇ＋ＷｉＦｉ結合信号に分配して、各２Ｇ＋４Ｇ＋ＷｉＦｉ結合信号は対応する各同軸ケーブル３７０を通じて該当カバレッジ領域まで送った後、対応する各アンテナ３９０を通じて放射される。
【００５６】
図６は、本発明の他の実施例による無線インターネット用ワイファイ装置４００の構成図である。
【００５７】
図６を参照すれば、無線インターネット用ワイファイ装置４００は、カプラー１９０を内部に含んで構成されることができる。すなわち、無線インターネット用デュアルワイファイ装置４００は、カプラー１９０、信号入力部４１０、信号変換部４３０、信号結合部４５１、４５２、及び信号出力部４７０を含むことができる。
【００５８】
カプラー１９０は、信号結合部４５１、４５２から結合されたそれぞれの信号らをポート１とポート４を通じて入力して、その入力された各信号をお互いに対して９０度の位相差を有する二つの信号に分岐して、このように分岐された信号らをポート２とポート３を通じて出力する。本実施例でカプラー１９０は、図３のカプラーと同一であるか、または類似な機能を有する。
【００５９】
信号入力部４１０は、２Ｇ/３Ｇ/４Ｇの第１及び第２移動通信信号がそれぞれ入力される第１及び第２入力ポート４１１、４１２、イーサネット信号(Ethernet_１)を入力する第３入力ポート４１３、光ケーブルの接続を通じて光イーサネット信号を入力する第４入力ポート４１４、及びイーサネット信号(Ethernet_２)を出力する出力ポート４１５を含むことができる。信号入力部４１０は、図１の信号入力部１１０と比べて第４入力ポート４１４と出力ポート４１５をさらに具備する。出力ポート４１５は、イーサネット信号出力部としてカスケード連結のために第３入力ポート４１３や第４入力ポート４１４を通じて入力されたイーサネット信号(Ethernet_１)や光イーサネット信号を他の所に伝達するためのものである。本実施例で２Ｇ/３Ｇ/４Ｇは、２Ｇ、３Ｇ、及び４Ｇのうち一つ以上が結合された移動通信信号を示す。
【００６０】
信号変換部４３０は、ＩＥＥＥ８０２．１１ｎによって多重入出力を有するＷｉＦｉモジュール(ＷｉＦｉ２x２８０２．１１ｎ)１個で構成されて、図１の信号変換部１３０と同一/類似な機能をする。
【００６１】
信号結合部４５１、４５２は、第１及び第２入力ポート４１１、４１２を通じて入力された２Ｇ/３Ｇ/４Ｇの第１及び第２移動通信信号と信号変換部４３０から出力された２個の２．４ＧＨｚ ＷｉＦｉ信号をそれぞれ結合して、例えば、２個の２Ｇ/３Ｇ/４Ｇ＋ＷｉＦｉ結合信号を生成するためのものであり、例えば、バンドパスフィルター(ＢＰＦ)とダイプレクサ(Diplexer)を含むことができる。
【００６２】
本実施例による信号出力部４７０は、信号結合部４５１、４５２を通じて結合されて生成された２個の２Ｇ/３Ｇ/４Ｇ＋ＷｉＦｉ結合信号をそれぞれ出力する第１及び第２出力ポート４７１、４７２を含む。
【００６３】
図６のデュアルワイファイ装置４００は、図５のデュアルワイファイ装置を利用した無線インターネットシステムでデュアルワイファイ装置２００及びカプラー１９０を取り替えて使用することができる。
【００６４】
本発明の多様な実施例によるデュアルワイファイ装置１００、２００、４００は、信号入力部１１０、４１０の入力ポート１１１-１１３、４１１-４１５と信号出力部１７０、４７０の出力ポート１７１-１７２、４７１-４７２が物理的にお互いに対向する２個の側面にそれぞれ形成されている。
【００６５】
したがって、従来建物に設置されている分配器３３０(既存の一般的な分配器は、大部分２個に分岐する形態でなされている)の後に本発明のデュアルワイファイ装置１００、２００、４００を付着さえすれば、容易に既存の移動通信網を利用してＷｉＦｉ信号を送ることができる。
【産業上の利用可能性】
【００６６】
以上で説明したところのように本発明によると、移動通信中継器の場合事業者が割り当てを受けた周波数で使って出力の制限がないが、ＷｉＦｉのように共用周波数を使用する場合出力の制限があるために、移動通信中継器出力の分配器の次の段に２個の許容される最大出力を有するワイファイ(Dual ＷｉＦｉ)装置を設置することで、ＷＩＦＩの設置ポイント(Point)を最小化して、また、既存設置された移動通信中継システムの同軸ケーブルを活用して、移動通信信号と共にＷｉＦｉ信号を送り出すことで、ＵＴＰケーブルの設置が最小化して、結局ＷｉＦｉ ＡＰ(または、ＷｉＦｉモジュールと称する)の設置、維持補修、及び管理などをより効率的にできる効果が創出される。
【００６７】
また、最大出力ワイファイ装置を通じて出力される信号をお互いに異なる位相差に分岐して出力することで、ＭＩＭＯ(Multiple Input Multiple Output)信号が分離しながら発生する隠匿ノード(Hidden Node)問題を改善することができるようになる。
【符号の説明】
【００６８】
１１０  信号入力部
１１１  移動通信信号
１１２  移動通信信号
１１３  イーサネット信号
１３０  信号変換部
１５０  信号結合部
１７０  信号出力部
１９０  カプラー
２００  デュアルワイファイ装置
３１０  移動通信中継器
３３０  分配器
３５１  分配器
３５２  分配器
４１４  光イーサネット
４５１  信号結合部
【図１】
0005368603.tif 000002
【図２】
0005368603.tif 000003
【図３】
0005368603.tif 000004
【図４】
0005368603.tif 000005
【図５】
0005368603.tif 000006
【図６】
0005368603.tif 000007